(57)【要約】【課題】本発明は、安全性の高い圧力調整弁を備えたコンデンサを提供することを目的とする。【解決手段】正負一対の電極をその間にセパレータを介在させて巻回し、引き出し電極を有したコンデンサ素子１と、このコンデンサ素子１を駆動用電解液とともに収容した有底筒状の金属ケース３と、この金属ケース３の開口部を封止した端子板４と、この端子板４上に設けた圧力調整弁５とで構成されるコンデンサにおいて、圧力調整弁５は端子板４に設けられた貫通孔４ａの下面側から覆うフィルター６と、有底筒状でゴム製の弁体７と、この弁体７を押さえるとともに端子板４上に固定され、通気孔８ａを有するキャップ８とからなるコンデンサとする。【選択図】図１
2008098546.tif 000002
【特許請求の範囲】
【請求項１】
正負一対の電極をその間にセパレータを介在させて巻回し、引き出し電極を有したコンデンサ素子と、このコンデンサ素子を駆動用電解液とともに収容した有底筒状のケースと、このケースの開口部を封止した端子板と、この端子板上に設けた圧力調整弁とで構成されるコンデンサにおいて、前記圧力調整弁は前記端子板に設けられた貫通孔の下面側から覆うフィルターと、有底筒状でゴム製の弁体と、この弁体を押さえるとともに前記端子板上に固定され、通気孔を有するキャップとからなるコンデンサ。
【請求項２】
前記弁体の上面部は円筒の中心から外側に向かって高さが徐々に低くなっていく、または高くなっていくテーパ状を形成している請求項１に記載のコンデンサ。
【請求項３】
前記弁体は上面部の直径より下面部の直径が小さい、すり鉢状である請求項１に記載のコンデンサ。
【請求項４】
前記弁体はエチレンプロピレンゴムまたはイソプレンイソブチレンゴムである請求項１に記載のコンデンサ。
【発明の詳細な説明】
【技術分野】
【０００１】
本発明は、動作圧の安定した圧力調整弁を用いた安全性に優れたコンデンサに関するものである。
【背景技術】
【０００２】
図５は従来のコンデンサの構成を示した断面図であり、図６はその圧力調整弁を拡大した断面図である。
【０００３】
図５において、コンデンサ素子１０１は正負一対の電極（図示せず）をその間にセパレータ（図示せず）を介在させ、このコンデンサ素子１０１の両端面（図５において上下方向）から陽極と陰極を夫々取り出すように構成されたものである。
【０００４】
１０３は上記コンデンサ素子１０１を図示しない駆動用電解液と共に収容したアルミニウム製の有底筒状の金属ケース、１０２ａはこの金属ケース１０３の外底面に一体で設けられた外部接続用の陰極端子、１０２ｂはコンデンサ素子１０１の中空部１０１ａ内に嵌まり込むように内底面に一体で設けられた突起であり、この突起１０２ｂをコンデンサ素子１０１の中空部１０１ａ内に嵌め込んで金属ケース１０３内に挿入されたコンデンサ素子１０１の陰極側の端面を金属ケース１０３の内底面にレーザー溶接等によって機械的かつ電気的に接合するようにしたものである。
【０００５】
１０４はアルミニウム製の端子板、１０４ａはこの端子板１０４の表面側に一体で設けられた外部接続用の陽極端子、１０４ｂはコンデンサ素子１０１の中空部１０１ａ内に嵌まり込む突起、１０４ｃは電解液注入孔、１０５は圧力調整弁であり、コンデンサ素子１０１の陽極側の端面を端子板１０４の内面にレーザー溶接等の手段によって接合することにより、機械的、電気的に接続すると共に、この端子板１０４の周縁上で上記金属ケース１０３の開口部を巻き込むように加工（一般に、カーリング加工と呼ばれる）することによって封止して構成されたものである。
【０００６】
また、上記圧力調整弁１０５は図６に詳細を示すように、上記電解液注入孔１０４ｃ上にフィルター１０６と弁体１０７を配設し、これらを外部と連通する通気孔１０８ａを有する金属キャップ１０８で覆うように固定し、弁体１０７を常時閉塞する方向に付勢しているものであり、この金属キャップ１０８の固定は、予め端子板１０４に電解液注入孔１０４ｃの周囲を囲うようにして設けられた円環状の凸部１０４ｄをカシメ加工等により変形させて金属キャップ１０８に押し当てることにより固定したものである。
【０００７】
また、上記圧力調整弁１０５は、コンデンサの内部圧力が所定の圧力以上になると圧力を外部に逃がすための自己復帰型のものであり、コンデンサ内部で発生したガスを外部へ放出してコンデンサ内部の圧力の上昇を防ぐことができ、また作動後に圧力調整弁１０５は作動前の状態に復帰してコンデンサ内部の気密性を保持することができるため、コンデンサ内部のガス発生による圧力の上昇においてもコンデンサの外観に異常をきたすことはなく、その特性を維持することができるものである。
【０００８】
なお、この出願の発明に関連する先行技術文献情報としては、例えば、特許文献１が知られている。
【特許文献１】特開２００４−１３４６３２号公報
【発明の開示】
【発明が解決しようとする課題】
【０００９】
しかしながら、上記従来の構成においては、電解液注入孔１０４ｃ上に配置したフィルター１０６に対し弁体１０７を常時圧縮状態で固定させることによって金属ケース１０３内の液体の漏出を低減させるようにしているので、弁体１０７の圧縮量の大小が圧力調整弁１０５の動作圧の大小に比例するため、動作圧が不安定になりやすいものであった。
【００１０】
そこで本発明は圧力調整弁の動作圧を安定させることを目的としたものである。
【課題を解決するための手段】
【００１１】
この目的を達成するために、本発明は、端子板の下面側を覆うフィルターと、有底筒状でゴム製の弁体と、この弁体を押さえるとともに通気孔を有するキャップとからなる圧力調整弁を備えたコンデンサとするものである。
【発明の効果】
【００１２】
本発明の圧力調整弁を用いたコンデンサは、広い圧縮率範囲で動作圧が一定となり、繰り返し動作が可能となるので、これを用いたコンデンサでは信頼性および安全性を向上することができるものである。
【発明を実施するための最良の形態】
【００１３】
以下、本発明の実施の形態１について、図を用いて説明する。
【００１４】
（実施の形態１）
図１は本発明における実施の形態１による圧力調整弁を用いたコンデンサの構成例を示した断面図であり、図１において、１はコンデンサ素子であり、アルミニウム箔などからなる正負一対の電極を互いに逆方向に位置をずらしてその間にセパレータを介在させて巻回する（すべて図示せず）ことにより構成され、このコンデンサ素子１の両端面（図１において上下方向）から正極と負極をそれぞれ取り出すように構成されたものである。
【００１５】
３はこのコンデンサ素子１を駆動用電解液（図示せず）とともに収容したアルミニウム製で有底筒状の金属ケースであり、金属ケース３内に挿入されたコンデンサ素子１の負極側の端面を金属ケース３の内底面にレーザー溶接等の手段によって機械的、かつ電気的に接合などすることによってコンデンサ素子１の負極側の引き出し電極を金属ケース３から取り出すようにしたものである。
【００１６】
４はアルミニウム製の端子板、４ａは駆動用電解液注入などに用いられる貫通孔であり、コンデンサ素子１の正極側の端面を端子板４の内面にレーザー溶接等で機械的、かつ電気的に接合し、この端子板４の周縁上で金属ケース３の開口部をその間に絶縁部材９を介在させて巻き込むようにカーリングなどの加工をすることによって封止して構成したものであり、このとき端子板４は正極側の引き出し電極となる。
【００１７】
このように構成された本実施の形態による端子板４の貫通孔４ａ上に圧力調整弁５が設けられている。駆動用電解液の反応などでガスが発生し圧力が異常に上昇してしまったときなどは圧力調整弁５を通じて圧力を解放することができる。
【００１８】
図２は圧力調整弁５の構成を示した断面図であり、図２において６はガス透過性のシートからなるフィルターであり、このフィルター６は端子板４の下方で発生したガスなどを選択して透過させる物性のものである。
【００１９】
７はゴム製の弁体であり、略円筒状の中心軸は貫通孔４ａの中心軸とほぼ同軸上に位置するように配置している。８は外部と連通している通気孔８ａを有したキャップである。
【００２０】
端子板４に設けられている貫通孔４ａの下面側にフィルター６を接着などして固定し、貫通孔４ａを塞ぐように弁体７を配置しつつ、この弁体７の上からキャップ８を用いて弁体７を押さえるように構成される。このとき、キャップ８は端子板４上に設けられた凸部４ｂで固定されている。
【００２１】
弁体７は有底筒状のゴム製であり、キャップ８によって押さえつけられることによって弾性体である弁体７はわずかに座屈したような形で貫通孔４ａを塞いでいる。
【００２２】
このようにすることによって、図１において金属ケース３内の圧力が異常に上昇した際には、弁体７が上方へ押し上げられ、フィルター６を通過したガスのみが貫通孔４ａを通って通気孔８ａから外へ放出されるので、金属ケース３内の駆動用電解液を漏出させることなく、圧力調整弁５を通じて圧力を解放することができるものである。
【００２３】
従来であれば、弁体７の圧縮量によって圧力調整弁５の動作圧が決まるため、不安定になりやすいものであったのに対し、本実施の形態によれば、弁体７は押さえつけられて座屈しているので、多少圧縮量が変化しても上下方向の応力は変化しないため、圧力調整弁５の動作圧も安定するものである。
【００２４】
したがって、金属ケース３内で異常に圧力が上昇しても駆動用電解液の漏出のない、安全性の高いコンデンサとすることができるものである。
【００２５】
図３は弁体７の斜視図であるが、弁体７は有底筒状であり、その上面部７ａは底面と略水平になっている。この弁体７を図４（ａ）から（ｃ）のようにすることによって弁体７の座屈の状態を制御することができ、圧力調整弁５の動作圧を安定させることができるものであり、その詳細を以下で説明する。
【００２６】
図４（ａ）に示す弁体７の上面部７ｂは円筒の中心から外側に向かって高さが徐々に低くなっていくいわゆるテーパ状をなしている。このようにすることによって、上面側からキャップ８によって押さえつけると、弁体７の壁面は内側に座屈を誘発することができるようになる。
【００２７】
また、図４（ｂ）に示す弁体７の上面部７ｃは上記とは逆に円筒の中心から外側に向かって高さが徐々に高くなっているテーパ状をなしている。このようにすることによって、上面側からキャップ８によって押さえつけると、弁体７の壁面は外側に座屈を誘発することができるようになる。
【００２８】
さらに、図４（ｃ）に示す弁体７は上面部７ｄの直径より下面部７ｅの直径が小さく、すり鉢状をなしている。このようにすることによって、弁体７の壁面を下方へたわませるように座屈させることができる。
【００２９】
上記いずれの場合も弁体７を座屈させることによって、弁体７の圧縮量が多少変化しても、上下方向の応力を安定させることが可能となる。これにより圧力調整弁５の動作圧を安定させることができるのである。
【００３０】
また、本実施の形態によれば、コンデンサ素子１の電極の引き出し電極を金属ケース３と端子板４としたが、これはコンデンサ素子１からリード線などを用いて引き出し電極としてもよいものとする。
【００３１】
さらに、弁体７をエチレンプロピレンゴムとすることで、耐油性、耐薬品性なども向上し、さらにイソプレンイソブチレンゴムとすることで、上記の効果に加え、耐水性も向上するものである。
【産業上の利用可能性】
【００３２】
以上のように、本発明にかかる圧力調整弁を用いたコンデンサによれば、広い圧縮率範囲で動作圧が一定となり、繰り返し動作が可能な圧力調整弁となるものであり、この結果、これを用いたコンデンサの信頼性向上が可能になり、大電流における高信頼性などが要求される自動車のシステムなどに有用である。
【図面の簡単な説明】
【００３３】
【図１】本発明の実施の形態によるコンデンサの断面図
【図２】本発明の実施の形態によるコンデンサの圧力調整弁の断面図
【図３】本発明の実施の形態による圧力調整弁の弁体の斜視図
【図４】（ａ）本発明の実施の形態による圧力調整弁の弁体の断面図、（ｂ）本発明の実施の形態による圧力調整弁の弁体の断面図、（ｃ）本発明の実施の形態による圧力調整弁の弁体の断面図
【図５】従来のコンデンサの断面図
【図６】従来のコンデンサの圧力調整弁の断面図
【符号の説明】
【００３４】
１  コンデンサ素子
３  金属ケース
４  端子板
４ａ  貫通孔
４ｂ  凸部
５  圧力調整弁
６  フィルター
７  弁体
７ａ、７ｂ、７ｃ、７ｄ  上面部
７ｅ  下面部
８  キャップ
８ａ  通気孔
９  絶縁部材
【図１】
2008098546.tif 000003
【図２】
2008098546.tif 000004
【図３】
2008098546.tif 000005
【図４】
2008098546.tif 000006
【図５】
2008098546.tif 000007
【図６】
2008098546.tif 000008